【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
オーディオ復号器であって、
左チャンネル入力信号を伝達する第１の入力信号経路、右チャンネル入力信号を伝達する第２の入力信号経路、及び、中央チャンネル入力信号を伝達する第３の入力信号経路を含む複数の入力経路と、
第１の入力信号経路と第２の入力信号経路とに接続された入力を有し、左チャンネル入力信号と右チャンネル入力信号とから導き出し処理を施した信号を出力する複数の出力であって、第１の出力は左チャンネル用として処理を施した信号を出力し、第２の出力は右チャンネル用として処理を施した信号を出力し、第３の出力は中央チャンネル用として処理を施した信号を出力する複数の出力を有する信号処理装置と、
第３の入力信号経路と前記信号処理装置の第３の出力とに接続された入力、及び、中央チャンネル入力信号と中央チャンネル用として処理を施した信号との結合を表す信号を出力する出力を有する信号結合装置と、
前記信号処理装置の前記第１の出力と接続された第１の信号経路、前記信号処理装置の前記第２の出力とに接続された第２の信号経路、及び、前記信号結合装置の前記出力と接続された第３の信号経路を含む複数の出力信号経路と、
を具備するオーディオ復号器。
【請求項２】
前記信号処理装置は、ロジックマトリックス復号器により実行される請求項１に記載の復号器。
【請求項３】
オーディオ復号器であって、
左チャンネル入力信号を伝達する第１の入力信号経路、右チャンネル入力信号を伝達する第２の入力信号経路、及び、中央チャンネル入力信号を伝達する第３の入力信号経路を含む複数の入力経路と、
第１の入力信号経路と第２の入力信号経路と第３の入力信号経路とに接続された入力を有し、左チャンネル入力信号と中央チャンネル入力信号の混合と右チャンネル入力信号と中央チャンネル入力信号の混合とから導き出し処理を施した信号を出力する複数の出力であって、第１の出力は左チャンネル用として処理を施した信号を出力し、第２の出力は右チャンネル用として処理を施した信号を出力し、第３の出力は中央チャンネル用として処理を施した信号を出力する複数の出力を有する信号処理装置と、
前記信号処理装置の前記第１の出力と接続された第１の信号経路、前記信号処理装置の前記第２の出力と接続された第２の信号経路、及び、前記信号処理装置の前記第３の出力と接続された第３の信号経路を含む複数の出力信号経路と、
を具備するオーディオ復号器。
【請求項４】
前記信号処理装置は、左チャンネル入力信号と中央チャンネル入力信号とを結合することにより左チャンネル入力信号と中央チャンネル入力信号とを混合したものを出力する第１の信号結合装置と、右チャンネル入力信号と中央チャンネル入力信号とを結合することにより右チャンネル入力信号と中央チャンネル入力信号とを混合したものを出力する第２の信号結合装置と、前記第１の信号結合装置の出力に接続された入力と前記第２の信号結合装置の出力と接続された入力とを有するマトリックス復号器と、により実行される請求項３に記載の復号器。
【請求項５】
前記複数の入力信号経路には、サラウンドチャンネルの入力信号を伝達する第４の入力経路が含まれ、
信号処理装置の前記複数の出力には、サラウンドチャンネル用として処理を施した信号を出力する第４の出力が含まれ、
前記第４の入力信号経路に接続された入力と前記信号処理装置の前記第４の出力に接続された入力とを有し、サラウンドチャンネル入力信号と前記サラウンドチャンネル用として処理を施した信号との結合を表す信号を出力する出力を有するサラウンドチャンネル結合装置を具備し、
前記複数の出力信号経路には、前記サラウンドチャンネル結合装置の出力に接続された第４の出力信号経路を含む、
請求項１乃至請求項４のいずれか１項に記載の復号器。
【請求項６】
オーディオ復号方法であって、
左チャンネル入力信号、中央チャンネル入力信号、及び右チャンネル入力信号を受信するステップと、
前記左チャンネル入力信号と前記右チャンネル入力信号から、左チャンネル用として処理を施した信号、右チャンネル用として処理を施した信号、及び中央チャンネル用として処理を施した信号を含む複数の処理された信号を導き出すステップと、
前記中央チャンネル入力信号と前記中央チャンネル用として処理を施した信号とを結合するステップと、
前記左チャンネル用として処理を施した信号、前記右チャンネル用として処理を施した信号、及び、前記中央チャンネルの入力信号と前記中央チャンネル用として処理を施した信号とを結合した信号を表現する複数の出力信号を出力するステップと、
を具備するオーディオ復号方法。
【請求項７】
前記左チャンネル用として処理を施した信号、前記右チャンネル用として処理を施した信号、及び、前記中央チャンネル用として処理を施した信号は、前記左チャンネル入力信号と前記右チャンネル入力信号とにロジックマトリックス復号器を適用することにより導き出される、請求項６に記載の復号方法。
【請求項８】
サラウンドチャンネル入力信号を受け取るステップと、
前記左チャンネル入力信号と前記右チャンネル入力信号からサラウンドチャンネル用として処理を施した信号を導き出すステップと、
前記サラウンドチャンネル入力信号と前記サラウンドチャンネル用として処理を施した信号とを結合するステップと、
前記サラウンドチャンネル入力信号と前記サラウンドチャンネル用として処理を施した信号との結合を表現する出力信号を出力するステップと、
を具備する請求項６又は請求項７に記載の復号方法。
【請求項９】
複数の入力信号経路と、
信号処理マトリックスであって、前記入力信号経路の少なくとも一部と接続された入力を有し、前記信号処理マトリックスへの前記入力に応答する複数の出力を有する信号処理マトリックスと、
信号結合装置であって、入力信号経路に接続された入力を有し、前記信号処理マトリックスの出力に接続された入力を有し、前記信号結合装置への前記入力に応答する出力を有する信号結合装置と、
前記信号処理マトリックスの前記出力の少なくとも一部と、及び、前記信号結合装置の前記出力とに接続された複数の出力信号経路と、
を具備するオーディオ復号器。
【請求項１０】
複数の入力信号を受信するステップと、
処理を施した複数の信号を導き出すために前記入力の少なくとも一部にマトリックスを適用するステップと、
結合された信号を得るために処理を施した信号と入力信号とを結合させるステップと、
前記結合された信号と、前記処理を施した信号の少なくとも一部とを表現する複数の出力信号を出力するステップと、
を具備するオーディオ復号方法。
【請求項１１】
前記処理を施した信号は、前記入力信号の少なくとも一部にロジックマトリックス復号器を適用することにより導き出される、請求項１０に記載の復号方法。
【手続補正２】
【補正対象書類名】明細書
【補正対象項目名】００１０
【補正方法】変更
【補正の内容】
【００１０】
本発明の1つの特徴によれば、オーディオ復号器であって、左チャンネル入力信号を伝達する第1の入力信号経路、右チャンネル入力信号を伝達する第２の入力信号経路、及び、中央チャンネル入力信号を伝達する第３の入力信号経路を含む複数の入力経路と、第１の入力信号経路と第２の入力信号経路とに接続された入力を有し、左チャンネル入力信号と右チャンネル入力信号とから導き出し処理を施した信号を出力する複数の出力であって、第１の出力は左チャンネル用として処理を施した信号を出力し、第２の出力は右チャンネル用として処理を施した信号を出力し、第３の出力は中央チャンネル用として処理を施した信号を出力する複数の出力を有する信号処理装置と、第３の入力信号経路と前記信号処理装置の第３の出力とに接続された入力、及び、中央チャンネル入力信号と中央チャンネル用として処理を施した信号との結合を表す信号を出力する出力を有する信号結合装置と、記信号処理装置の前記第１の出力と接続された第１の信号経路、前記信号処理装置の前記第２の出力とに接続された第２の信号経路、及び、前記信号結合装置の前記出力と接続された第３の信号経路を含む複数の出力信号経路とを具備するオーディオ復号器である。
【手続補正３】
【補正対象書類名】明細書
【補正対象項目名】００１１
【補正方法】変更
【補正の内容】
【００１１】
本発明の他の特徴によれば、オーディオ復号器であって、左チャンネル入力信号を伝達する第1の入力信号経路、右チャンネル入力信号を伝達する第２の入力信号経路、及び、中央チャンネル入力信号を伝達する第３の入力信号経路を含む複数の入力経路と、第１の入力信号経路と第２の入力信号経路と第３の入力信号経路とに接続された入力を有し、左チャンネル入力信号と中央チャンネル入力信号の混合と右チャンネル入力信号と中央チャンネル入力信号の混合とから導き出し処理を施した信号を出力する複数の出力であって、第１の出力は左チャンネル用として処理を施した信号を出力し、第２の出力は右チャンネル用として処理を施した信号を出力し、第３の出力は中央チャンネル用として処理を施した信号を出力する複数の出力を有する信号処理装置と、前記信号処理装置の前記第１の出力と接続された第１の信号経路、前記信号処理装置の前記第２の出力と接続された第２の信号経路、及び、前記信号処理装置の前記第３の出力と接続された第３の信号経路を含む複数の出力信号経路とを具備するオーディオ復号器である。
【手続補正４】
【補正対象書類名】明細書
【補正対象項目名】００１２
【補正方法】変更
【補正の内容】
【００１２】
本発明のさらに他の特徴によれば、オーディオ復号方法であって、左チャンネル入力信号、中央チャンネル入力信号、及び右チャンネル入力信号を受信するステップと、前記左チャンネル入力信号と前記右チャンネル入力信号から、左チャンネル用として処理を施した信号、右チャンネル用として処理を施した信号、及び中央チャンネル用として処理を施した信号を含む複数の処理された信号を導き出すステップと、前記中央チャンネル入力信号と前記中央チャンネル用として処理を施した信号とを結合するステップと、前記左チャンネル用として処理を施した信号、前記右チャンネル用として処理を施した信号、及び、前記中央チャンネルの入力信号と前記中央チャンネル用として処理を施した信号とを結合した信号を表現する複数の出力信号を出力するステップとを具備するオーディオ復号方法である。